(57)【要約】【課題】小型で、フォーカスレンズが軽量にすることができ、短い撮影距離で撮影可能な、光線射出角を抑えた、結像光学系を提供する。【解決手段】物体側から順に、正の屈折力を有する第１レンズ群Ｇ１、開口絞りＳ、正の屈折力を有する第２レンズ群Ｇ２、負の屈折力を有する第３レンズ群Ｇ３で構成され、無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、特定の条件を満足することを特徴とする結像光学系。【選択図】図１
2019211703.tif 000002
【特許請求の範囲】
【請求項１】
物体側から順に、正の屈折力を有する第１レンズ群Ｇ１、開口絞りＳ、正の屈折力を有する第２レンズ群Ｇ２、負の屈折力を有する第３レンズ群Ｇ３で構成され、
無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、
以下の条件式を満足することを特徴とする結像光学系。
（１）  １．４０＜ｆ／ｆ１２＜２．８０
（２）  ０．０２０＜Ｇ３ΔＰｇＦｍａｘ＜０．３００
（３）  １．８０＜Ｇ３ｎｄ
（４）  ０．６０＜ｆ１／ｆ＜６．５０
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
ｆ１：前記第１レンズ群Ｇ１の焦点距離
【請求項２】
物体側から順に、正の屈折力を有する第１レンズ群Ｇ１、開口絞りＳ、正の屈折力を有する第２レンズ群Ｇ２、負の屈折力を有する第３レンズ群Ｇ３で構成され、
無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、
以下の条件式を満足することを特徴とする結像光学系。
（１）  １．４０＜ｆ／ｆ１２＜２．８０
（５）  ２．０＜ＬＴ／（Ｙｍａｘ）＜３．１０
（６）  ２．００＜Ｋ２＜５．００
（９）  ０．５０＜（（Ｄ１＿２）＊Ｋ２）／ｆ＜１．４０
ｆ：無限遠合焦状態における全系の焦点距離
ｆ１２：無限遠合焦状態における前記第１レンズ群Ｇ１と前記第２レンズ群Ｇ２の合成焦点距離
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ１：前記第１レンズ群Ｇ１の焦点距離
Ｄ１＿２：無限合焦状態における前記第１レンズ群Ｇ１の最も像側の面と前記第２レンズ群Ｇ２の最も物体側の面の面間隔
【請求項３】
物体側から順に、正の屈折力を有する第１レンズ群Ｇ１、開口絞りＳ、正の屈折力を有する第２レンズ群Ｇ２、負の屈折力を有する第３レンズ群Ｇ３で構成され、
無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、
以下の条件式を満足することを特徴とする結像光学系。
（１）  １．４０＜ｆ／ｆ１２＜２．８０
（２）  ０．０２０＜Ｇ３ΔＰｇＦｍａ＜０．３００
（３）  １．８０＜Ｇ３ｎｄ
（５）  ２．０＜ＬＴ／（Ｙｍａｘ）＜３．１０
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
【請求項４】
物体側から順に、正の屈折力を有する第１レンズ群Ｇ１、開口絞りＳ、正の屈折力を有する第２レンズ群Ｇ２、負の屈折力を有する第３レンズ群Ｇ３で構成され、
無限遠物体から近距離物体への合焦の際に、前記第１レンズ群Ｇ１は像面に対して固定であり、前記第３レンズ群Ｇ３は像面に対して固定であり、前記第２レンズ群Ｇ２が物体側へ移動する構成となっており、
以下の条件式を満足することを特徴とする結像光学系。
（１）  １．４０＜ｆ／ｆ１２＜２．８０
（２）  ０．０２０＜Ｇ３ΔＰｇＦｍａｘ＜０．３００
（５）  ２．０＜ＬＴ／（Ｙｍａｘ）＜３．１０
（６）  ２．００＜Ｋ２＜５．００
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ１：前記第１レンズ群Ｇ１の焦点距離
【請求項５】
以下の条件を満足することを特徴とする請求項２に記載の結像光学系。
（２）  ０．０２０＜Ｇ３ΔＰｇＦｍａｘ＜０．３００
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
【請求項６】
以下の条件を満足することを特徴とする請求項２、請求項４、請求項５のいずれかに記載の結像光学系。
（３）  １．８０＜Ｇ３ｎｄ
Ｇ３ｎｄ：前記第３レンズ群Ｇ３の正レンズのｄ線（波長λ＝５８７．５６）に対する屈折率
【請求項７】
以下の条件を満足することを特徴とする請求項２乃至請求項６のいずれかに記載の結像光学系。
（４）  ０．６０＜ｆ１／ｆ＜６．５０
ｆ：無限遠合焦状態における全系の焦点距離
ｆ１：前記第１レンズ群Ｇ１の焦点距離
【請求項８】
以下の条件を満足することを特徴とする請求項１ に記載の結像光学系。
（５）  ２．０＜ＬＴ／（Ｙｍａｘ）＜３．１０
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
【請求項９】
以下の条件を満足することを特徴とする請求項１、請求項３、請求項７、請求項８のいずれかに記載の結像光学系。
（６）  ２．００＜Ｋ２＜５．００
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ：無限遠合焦状態における全系の焦点距離
ｆ１２：無限遠合焦状態における前記第１レンズ群Ｇ１と前記第２レンズ群Ｇ２の合成焦ｆ１：前記第１レンズ群Ｇ１の焦点距離
【請求項１０】
以下の条件を満足することを特徴とする請求項１乃至請求項９のいずれかに記載の結像光学系。
（７）  ０．３０＜ｆ２／ｆ＜０．９５
ｆ２：前記第２レンズ群Ｇ２の焦点距離
ｆ：無限遠合焦状態における全系の焦点距離
【請求項１１】
以下の条件を満足することを特徴とする請求項１乃至請求項１０のいずれかに記載の結像光学系。
（８）  ０．３０＜｜ｆ３／ｆ｜＜１．４０
ｆ３：前記第３レンズ群Ｇ３の焦点距離
ｆ：無限遠合焦状態における全系の焦点距離
【請求項１２】
以下の条件を満足することを特徴とする請求項１、請求項３、請求項４、請求項７乃至請求項１１のいずれかに記載の結像光学系。
（９）  ０．５０＜（（Ｄ１＿２）＊Ｋ２）／ｆ＜１．４０
Ｄ１＿２：無限合焦状態における前記第１レンズ群Ｇ１の最も像側の面と前記第２レンズ群Ｇ２の最も物体側の面の面間隔
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ：無限遠合焦状態における全系の焦点距離
ｆ１：前記第１レンズ群Ｇ１の焦点距離
ｆ１２：無限遠合焦状態における前記第１レンズ群Ｇ１と前記第２レンズ群Ｇ２の合成焦点距離
【請求項１３】
無限遠物体から近距離物体への合焦の際に、前記第１レンズ群Ｇ１は像面に対して固定であり、前記第３レンズ群Ｇ３は像面に対して固定である構成となることを特徴とする請求項１乃至請求項３、請求項５乃至請求項１２のいずれかに記載の結像光学系。
【請求項１４】
前記開口絞りＳは前記第１レンズ群Ｇ１の像側に隣接し合焦の際に光軸方向に固定とすること
を特徴とする請求項１乃至請求項１３のいずれかに記載の結像光学系。
【請求項１５】
以下の条件式を満足することを特徴とする請求項１乃至請求項１４の いずれかに記載の結像光学系。
（１０）  １．６０＜｜ＥＸＰ／Ｙｍａｘ｜＜３．５０
ＥＸＰ  ：無限遠合焦状態における射出瞳位置から像面までの距離
Ｙｍａｘ：最大像高
Ｙｍａｘの定義がなされていなく有効な半画角ｗが判別できるものは便宜上、
Ｙｍａｘ＝（ｆ＊ｔａｎ（ｗ））とする。
【請求項１６】
前記第１レンズ群Ｇ１は物体側より順に正レンズＬ１、負レンズＬ２からなり、全体で正の屈折力を有することを特徴とする請求項１乃至請求項１５のいずれかに記載の結像光学系。
【請求項１７】
前記第２レンズ群Ｇ２は物体側より順に負レンズＬ３、正レンズＬ４、正レンズＬ５からなり、全体で正の屈折力を有することを特徴とする請求項１乃至１６のいずれかに記載の結像光学系。
【請求項１８】
前記第３レンズ群Ｇ３は物体側より順に負レンズＬ６、負レンズＬ７、正レンズＬ８からなり、全体で負の屈折力を有することを特徴とする請求項１乃至１７のいずれかに記載の結像光学系。
【発明の詳細な説明】
【技術分野】
【０００１】
本発明はデジタルカメラ、ビデオカメラ等の撮像装置に用いられる、小型な、結像光学系に関するものである。
【背景技術】
【０００２】
近年、デジタルスチルカメラやビデオカメラ等の撮像装置が普及している。その中でレンズ交換式デジタルスチルカメラにおいては結像光学系と撮像素子の間にファインダー光学系へ光線を導くためのミラーが配置されていたが、撮像装置全体をより小型にするためにミラー部分を取り除き、結像光学系と撮像素子の間隔を短くした撮像装置がある。
【０００３】
その中で撮像素子は大型のものを使用しつつ撮像装置は小型化させたものが普及している。小型化された撮像装置に対して結像光学系も小型化が要求されている。撮像素子が大型化されることによりＦナンバーの大きいレンズにおいても被写界深度を浅くし、背景のボカシ量を大きくする撮影が可能となっている。背景と被写体の距離が離れると背景のボカシ量が大きくなるため、撮影可能となる撮影距離は短くできることが好ましい。
【０００４】
また撮像装置に広く使用される撮像素子は一般に撮像素子への入射角の大きな光に対して感度が低下するという特性を持つので、撮像素子への入射角が大きい場合、周辺光量の低下を招く。そのため、撮像素子への入射角、すなわち結像光学系からの光線射出角を抑えることにより、感度の低下を抑える必要がある。
【０００５】
以上のことから、小型で、短い撮影距離で撮影可能な、光線射出角を抑えた、結像光学系が求められる。
【０００６】
上記に関する特許文献としては、例えば、特許文献１乃至５に開示されている。
【先行技術文献】
【特許文献】
【０００７】
【特許文献１】特開２０１３−１９５５８７号公報
【特許文献２】ＷＯ２０１３／０９９２１１号公報
【特許文献３】特開２０１５−０４１０１２号公報
【特許文献４】特開平０６−２２２２６０号公報
【特許文献５】特開平０９−２３６７４６号公報
【発明の概要】
【発明が解決しようとする課題】
【０００８】
特許文献１と２は、フォーカシングに用いるレンズが周辺像高に対して大きい。そのためフォーカスレンズを動かすためのアクチュエータが大きくなる。撮像素子が大型である撮像装置において小型化が難しくなるため好ましくない。
【０００９】
特許文献３は、フォーカシングに用いるレンズが１枚であり、撮影距離を短くした時の軸上色収差が大きくなるため好ましくない。
【００１０】
特許文献４と５は、大型の撮像素子に対応するイメージサークルと光学全長を短くすることでの小型化がなされている。しかし光線射出角が大きいため一般的な撮像素子に対しては不適である。
【００１１】
本発明はこのような状況に鑑みてなされたものであり、小型で、フォーカスレンズが軽量にすることができ、短い撮影距離で撮影可能な、光線射出角を抑えた、結像光学系を提供することを目的とする。
【課題を解決するための手段】
【００１２】
前述の課題を解決するための第１の発明は、物体側から順に、正の屈折力を有する第１レンズ群Ｇ１、開口絞りＳ、正の屈折力を有する第２レンズ群Ｇ２、負の屈折力を有する第３レンズ群Ｇ３で構成され、無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、以下の条件式を満足することを特徴とする結像光学系。
（１）  １．４０＜ｆ／ｆ１２＜２．８０
（２）  ０．０２０＜Ｇ３ΔＰｇＦｍａｘ＜０．３００
（３）  １．８０＜Ｇ３ｎｄ
（４）  ０．６０＜ｆ１／ｆ＜６．５０
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
ｆ１：前記第１レンズ群Ｇ１の焦点距離
【００１３】
第２の発明は、物体側から順に、正の屈折力を有する第１レンズ群Ｇ１、開口絞りＳ、正の屈折力を有する第２レンズ群Ｇ２、負の屈折力を有する第３レンズ群Ｇ３で構成され、無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、以下の条件式を満足することを特徴とする結像光学系。
（１）  １．４０＜ｆ／ｆ１２＜２．８０
（５）  ２．０＜ＬＴ／（Ｙｍａｘ）＜３．１０
（６）  ２．００＜Ｋ２＜５．００
（９）  ０．５０＜（（Ｄ１＿２）＊Ｋ２）／ｆ＜１．４０
ｆ：無限遠合焦状態における全系の焦点距離
ｆ１２：無限遠合焦状態における前記第１レンズ群Ｇ１と前記第２レンズ群Ｇ２の合成焦点距離
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ１：前記第１レンズ群Ｇ１の焦点距離
Ｄ１＿２：無限合焦状態における前記第１レンズ群Ｇ１の最も像側の面と前記第２レンズ群Ｇ２の最も物体側の面の面間隔
【００１４】
第３の発明は、物体側から順に、正の屈折力を有する第１レンズ群Ｇ１、開口絞りＳ、正の屈折力を有する第２レンズ群Ｇ２、負の屈折力を有する第３レンズ群Ｇ３で構成され、無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、前記第２レンズ群Ｇ２が物体側へ移動する構成となっており、以下の条件式を満足することを特徴とする結像光学系。
（１）  １．４０＜ｆ／ｆ１２＜２．８０
（２）  ０．０２０＜Ｇ３ΔＰｇＦｍａ＜０．３００
（３）  １．８０＜Ｇ３ｎｄ
（５）  ２．０＜ＬＴ／（Ｙｍａｘ）＜３．１０
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
【００１５】
第４の発明は、物体側から順に、正の屈折力を有する第１レンズ群Ｇ１、開口絞りＳ、正の屈折力を有する第２レンズ群Ｇ２、負の屈折力を有する第３レンズ群Ｇ３で構成され、無限遠物体から近距離物体への合焦の際に、前記第１レンズ群Ｇ１は像面に対して固定であり、前記第３レンズ群Ｇ３は像面に対して固定であり、前記第２レンズ群Ｇ２が物体側へ移動する構成となっており、以下の条件式を満足することを特徴とする結像光学系。
（１）  １．４０＜ｆ／ｆ１２＜２．８０
（２）  ０．０２０＜Ｇ３ΔＰｇＦｍａｘ＜０．３００
（５）  ２．０＜ＬＴ／（Ｙｍａｘ）＜３．１０
（６）  ２．００＜Ｋ２＜５．００
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ１：前記第１レンズ群Ｇ１の焦点距離
【００１６】
第５の発明は、以下の条件を満足することを特徴とする第２の発明に記載の結像光学系。
（２）  ０．０２０＜Ｇ３ΔＰｇＦｍａｘ＜０．３００
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
【００１７】
第６の発明は、以下の条件を満足することを特徴とする第２の発明、第４の発明、第５の発明のいずれかに記載の結像光学系。
（３）  １．８０＜Ｇ３ｎｄ
Ｇ３ｎｄ：前記第３レンズ群Ｇ３の正レンズのｄ線（波長λ＝５８７．５６）に対する屈折率
【００１８】
第７の発明は、以下の条件を満足することを特徴とする第２の発明乃至第６の発明のいずれかに記載の結像光学系。
（４）  ０．６０＜ｆ１／ｆ＜６．５０
ｆ：無限遠合焦状態における全系の焦点距離
ｆ１：前記第１レンズ群Ｇ１の焦点距離
【００１９】
第８の発明は、以下の条件を満足することを特徴とする第１の発明に記載の結像光学系。
（５）  ２．０＜ＬＴ／（Ｙｍａｘ）＜３．１０
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
【００２０】
第９の発明は、以下の条件を満足することを特徴とする第１の発明、第３の発明、第７の発明、第８の発明のいずれかに記載の結像光学系。
（６）  ２．００＜Ｋ２＜５．００
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ：無限遠合焦状態における全系の焦点距離
ｆ１２：無限遠合焦状態における前記第１レンズ群Ｇ１と前記第２レンズ群Ｇ２の合成焦ｆ１：前記第１レンズ群Ｇ１の焦点距離
【００２１】
第１０の発明は、以下の条件を満足することを特徴とする第１の発明乃至第９の発明のいずれかに記載の結像光学系。
（７）  ０．３０＜ｆ２／ｆ＜０．９５
ｆ２：前記第２レンズ群Ｇ２の焦点距離
ｆ：無限遠合焦状態における全系の焦点距離
【００２２】
第１１の発明は、以下の条件を満足することを特徴とする第１の発明乃至第１０の発明のいずれかに記載の結像光学系。
（８）  ０．３０＜｜ｆ３／ｆ｜＜１．４０
ｆ３：前記第３レンズ群Ｇ３の焦点距離
ｆ：無限遠合焦状態における全系の焦点距離
【００２３】
第１２の発明は、以下の条件を満足することを特徴とする第１の発明、第３の発明、第４の発明、第７の発明乃至第１１の発明のいずれかに記載の結像光学系。
（９）  ０．５０＜（（Ｄ１＿２）＊Ｋ２）／ｆ＜１．４０
Ｄ１＿２：無限合焦状態における前記第１レンズ群Ｇ１の最も像側の面と前記第２レンズ群Ｇ２の最も物体側の面の面間隔
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ：無限遠合焦状態における全系の焦点距離
ｆ１：前記第１レンズ群Ｇ１の焦点距離
ｆ１２：無限遠合焦状態における前記第１レンズ群Ｇ１と前記第２レンズ群Ｇ２の合成焦点距離
【００２４】
第１３の発明は、無限遠物体から近距離物体への合焦の際に、前記第１レンズ群Ｇ１は像面に対して固定であり、前記第３レンズ群Ｇ３は像面に対して固定である構成となることを特徴とする第１の発明乃至第３の発明、第５の発明乃至第１２の発明のいずれかに記載の結像光学系。
【００２５】
第１４の発明は、前記開口絞りＳは前記第１レンズ群Ｇ１の像側に隣接し合焦の際に光軸方向に固定とすることを特徴とする第１の発明乃至第１３の発明のいずれかに記載の結像光学系。
【００２６】
第１５の発明は、以下の条件式を満足することを特徴とする第１の発明乃至第１４の発明のいずれかに記載の結像光学系。
（１０）  １．６０＜｜ＥＸＰ／Ｙｍａｘ｜＜３．５０
ＥＸＰ  ：無限遠合焦状態における射出瞳位置から像面までの距離
Ｙｍａｘ：最大像高
Ｙｍａｘの定義がなされていなく有効な半画角ｗが判別できるものは便宜上、
Ｙｍａｘ＝（ｆ＊ｔａｎ（ｗ））とする。
【００２７】
第１６の発明は、前記第１レンズ群Ｇ１は物体側より順に正レンズＬ１、負レンズＬ２からなり、全体で正の屈折力を有することを特徴とする第１の発明乃至第１５の発明のいずれかに記載の結像光学系。
【００２８】
第１７の発明は、前記第２レンズ群Ｇ２は物体側より順に負レンズＬ３、正レンズＬ４、正レンズＬ５からなり、全体で正の屈折力を有することを特徴とする第１の発明乃至第１６の発明のいずれかに記載の結像光学系。
【００２９】
第１８の発明は、前記第３レンズ群Ｇ３は物体側より順に負レンズＬ６、負レンズＬ７、正レンズＬ８からなり、全体で負の屈折力を有することを特徴とする第１の発明乃至第１７の発明のいずれかに記載の結像光学系。
【発明の効果】
【００３０】
本発明は、小型で、フォーカスレンズが軽量にすることができ、短い撮影距離で撮影可能な、光線射出角を抑えた、結像光学系を提供することが可能となる。
【図面の簡単な説明】
【００３１】
【図１】本発明の実施例１に係る無限遠合焦時のレンズ構成図である。
【図２】本発明の実施例１に係る無限遠合焦時の縦収差図である。
【図３】本発明の実施例１に係る無限遠合焦時の横収差図である。
【図４】本発明の実施例１に係る撮影距離２４０ｍｍにおける縦収差図である。
【図５】本発明の実施例１に係る撮影距離２４０ｍｍにおける横収差図である。
【図６】本発明の実施例２に係る無限遠合焦時のレンズ構成図である。
【図７】本発明の実施例２に係る無限遠合焦時の縦収差図である。
【図８】本発明の実施例２に係る無限遠合焦時の横収差図である。
【図９】本発明の実施例２に係る撮影距離２４０ｍｍにおける縦収差図である。
【図１０】本発明の実施例２に係る撮影距離２４０ｍｍにおける横収差図である。
【図１１】本発明の実施例３に係る無限遠合焦時のレンズ構成図である。
【図１２】本発明の実施例３に係る無限遠合焦時の縦収差図である。
【図１３】本発明の実施例３に係る無限遠合焦時の横収差図である。
【図１４】本発明の実施例３に係る撮影距離２００ｍｍにおける縦収差図である。
【図１５】本発明の実施例３に係る撮影距離２００ｍｍにおける横収差図である。
【図１６】本発明の実施例４に係る無限遠合焦時のレンズ構成図である。
【図１７】本発明の実施例４に係る無限遠合焦時の縦収差図である。
【図１８】本発明の実施例４に係る無限遠合焦時の横収差図である。
【図１９】本発明の実施例４に係る撮影距離２２０ｍｍにおける縦収差図である。
【図２０】本発明の実施例４に係る撮影距離２２０ｍｍにおける横収差図である。
【図２１】本発明の実施例５に係る無限遠合焦時のレンズ構成図である。
【図２２】本発明の実施例５に係る無限遠合焦時の縦収差図である。
【図２３】本発明の実施例５に係る無限遠合焦時の横収差図である。
【図２４】本発明の実施例５に係る撮影距離２１０ｍｍにおける縦収差図である。
【図２５】本発明の実施例５に係る撮影距離２１０ｍｍにおける横収差図である。
【図２６】本発明の実施例６に係る無限遠合焦時のレンズ構成図である。
【図２７】本発明の実施例６に係る無限遠合焦時の縦収差図である。
【図２８】本発明の実施例６に係る無限遠合焦時の横収差図である。
【図２９】本発明の実施例６に係る撮影距離２６０ｍｍにおける縦収差図である。
【図３０】本発明の実施例６に係る撮影距離２６０ｍｍにおける横収差図である。
【図３１】本発明の実施例７に係る無限遠合焦時のレンズ構成図である。
【図３２】本発明の実施例７に係る無限遠合焦時の縦収差図である。
【図３３】本発明の実施例７に係る無限遠合焦時の横収差図である。
【図３４】本発明の実施例７に係る撮影距離２６０ｍｍにおける縦収差図である。
【図３５】本発明の実施例７に係る撮影距離２６０ｍｍにおける横収差図である。
【図３６】本発明の実施例８に係る無限遠合焦時のレンズ構成図である。
【図３７】本発明の実施例８に係る無限遠合焦時の縦収差図である。
【図３８】本発明の実施例８に係る無限遠合焦時の横収差図である。
【図３９】本発明の実施例８に係る撮影距離２９０ｍｍにおける縦収差図である。
【図４０】本発明の実施例８に係る撮影距離２９０ｍｍにおける横収差図である。
【図４１】本発明の実施例９に係る無限遠合焦時のレンズ構成図である。
【図４２】本発明の実施例９に係る無限遠合焦時の縦収差図である。
【図４３】本発明の実施例９に係る無限遠合焦時の横収差図である。
【図４４】本発明の実施例９に係る撮影距離２４０ｍｍにおける縦収差図である。
【図４５】本発明の実施例９に係る撮影距離２４０ｍｍにおける横収差図である。
【図４６】本発明の実施例９に係る撮影距離１５０ｍｍにおける縦収差図である。
【図４７】本発明の実施例９に係る撮影距離１５０ｍｍにおける横収差図である。
【図４８】本発明の実施例１０に係る無限遠合焦時のレンズ構成図である。
【図４９】本発明の実施例１０に係る無限遠合焦時の縦収差図である。
【図５０】本発明の実施例１０に係る無限遠合焦時の横収差図である。
【図５１】本発明の実施例１０に係る撮影距離２９０ｍｍにおける縦収差図である。
【図５２】本発明の実施例１０に係る撮影距離２９０ｍｍにおける横収差図である。
【発明を実施するための形態】
【００３２】
物体側から順に、正の屈折力を有する第１レンズ群Ｇ１、開口絞りＳ、正の屈折力を有する第２レンズ群Ｇ２、負の屈折力を有する第３レンズ群Ｇ３で構成され、無限遠物体から近距離物体への合焦の際に、前記第１レンズ群Ｇ１と前記レンズ群Ｇ２との間隔が縮まり、前記第２レンズ群Ｇ２と前記第３レンズ群Ｇ３との間隔が広がり、前記第２レンズ群Ｇ２が物体側へ移動する構成とする。
【００３３】
正の屈折力を有する第１レンズ群Ｇ１とすることで、全系のレンズを小型にするために像側のレンズを通過する光束径を小さくすることができる。
【００３４】
開口絞りＳを第１レンズ群Ｇ１と第２レンズ群Ｇ２の間に配置することで射出瞳位置を物体側に寄せることができ、光線射出角を小さくすることができる。
【００３５】
正の屈折力を有する第２レンズ群Ｇ２とし、後述の条件を満たすことでフォーカス時の収差補正とレンズ全系の小型化を行うことができる。
【００３６】
負の屈折力を有する第３レンズ群Ｇ３とし、後述の条件を満たすことでイメージサークルを大きくすること、レンズ全系の小型化すること、収差補正のバランスをとることができる。
【００３７】
また本発明は無限遠物体から近距離物体への合焦の際に、前記第２レンズ群Ｇ２と第３レンズ群Ｇ３との間隔が広がる構成とすることにより、レンズの移動量を小さくすることができる。
【００３８】
以下の条件式を満足するよう構成されている。
（１）  １．４０＜ｆ／ｆ１２＜２．８０
（２）  ０．０２０＜Ｇ３ΔＰｇＦｍａｘ＜０．３００
（３）  １．８０＜Ｇ３ｎｄ
（４）  ０．６０＜ｆ１／ｆ＜６．５０
ｆ：無限遠合焦状態における全系の焦点距離
ｆ１２：無限遠合焦状態における前記第１レンズ群Ｇ１と前記第２レンズ群Ｇ２の合成焦点距離
Ｇ３ΔＰｇＦｍａｘ：前記第３レンズ群Ｇ３の正レンズのうち、最も大きいΔＰｇＦの値
ΔＰｇＦ＝ＰｇＦ−０．６４８３３＋０．００１８０νｄ：ｇ、Ｆ線間での異常部分分散性
ＰｇＦ＝（ｎｇ−ｎＦ）／（ｎＦ−ｎＣ）：ｇ、Ｆ線間における部分分散比
ｎｇ：ｇ線（波長λ＝４３５．８４ｎｍ）に対する屈折率
ｎＦ：Ｆ線（波長λ＝４８６．１３ｎｍ）に対する屈折率
ｎＣ：Ｃ線（波長λ＝６５６．２７ｎｍ）に対する屈折率
Ｇ３ｎｄ：前記第３レンズ群Ｇ３の正レンズのｄ線（波長λ＝５８７．５６）に対する屈折率
ｆ１：前記第１レンズ群Ｇ１の焦点距離
【００３９】
無限遠物体から近距離物体への合焦の際に、第２レンズ群Ｇ２と第３レンズ群Ｇ３との間隔が広がる構成とし、条件式（１）と合わせることで、フォーカス時のレンズの移動量の小さいフォーカス方式をとることができる。そのため全系の小型化、短い撮影距離での撮影を可能にすることができ、条件式（２）と合わせることで、倍率色収差を良好に補正することができる。
【００４０】
条件式（１）は、イメージサークルを大きくすることと、レンズ全系の小型化と、収差補正のバランスの好ましい条件として、前記第３レンズ群Ｇ３の横倍率を規定するものである。
【００４１】
条件式（１）の上限を超えて第３レンズ群Ｇ３の横倍率が大きくなると、第１レンズ群Ｇ１と第２レンズ群Ｇ２の合成系の残存収差が拡大されるため好ましくない。条件式（１）の下限を超えて第３レンズ群Ｇ３の横倍率が小さくなると、イメージサークルが小さくなり、合わせてフォーカス時のレンズの移動量が大きくなるため、レンズ全系の小型化が難しくなる。フォーカス時のレンズの移動量のみを小さくすると撮影距離が長くなるため好ましくない。
【００４２】
なお条件式（１）について、望ましくはその下限値を１．５５に、また上限値を２．５０に規定することで、前述の効果をより確実にすることができる。
【００４３】
条件式（２）は、倍率の色収差の補正の好ましい条件として、第３レンズ群Ｇ３の正レンズに用いる媒質の異常部分分散性を規定するものである。
【００４４】
本発明の第３レンズ群Ｇ３を通る光束は、軸上光束は第３レンズ群Ｇ３の中心近傍を、軸外光束は第３レンズ群Ｇ３の周縁近傍を通る。第３レンズ群Ｇ３内の像面に近いレンズほど軸上光束と軸外光束の通過点の乖離が顕著である。そのため媒質の条件によって軸外光束による倍率色収差の補正を別に行うことが可能となる。
【００４５】
条件式（２）の上限を超え異常部分分散性が大きくなると、ｇ線の色収差がアンダーに大きくなるため倍率色収差の補正が困難となる。条件式（２）の下限を超え異常部分分散性が小さくなると、特にｇ線の色収差がオーバーに大きくなるため倍率色収差の補正が困難となる。
【００４６】
なお条件式（２）について、望ましくはその下限値を０．０２５に、また上限値を０．１００に規定することで、前述の効果をより確実にすることができる。
【００４７】
条件式（３）は、非点収差の補正の好ましい条件として、第３レンズ群Ｇ３の正レンズの屈折率を規定するものである。
【００４８】
条件式（３）の下限を超え前記Ｇ３ｎｄが小さくなると、前記Ｇ３の屈折力を得るには曲率半径を小さくしなければならず、非点収差の発生が大きくなり好ましくない。
【００４９】
なお条件式（３）について、望ましくはその下限値を１．９０に規定することで、前述の効果をより確実にすることができる。
【００５０】
条件式（４）は、レンズ全系の小型化と収差補正の好ましい条件として、第１レンズ群Ｇ１と全系の焦点距離の比を規定するものである。
【００５１】
条件式（４）の上限を超え第１レンズ群Ｇ１の屈折力が小さくなるとレンズ全系の小型化が難しくなる。条件式（４）の下限を超え第１レンズ群Ｇ１の屈折力が大きくなると第２レンズ群Ｇ２との収差補正のバランスが崩れるため好ましくない。
【００５２】
なお条件式（４）について、望ましくはその下限値を０．９５に、また上限値を４．５０に規定することで、前述の効果をより確実にすることができる。
【００５３】
また本発明は以下の条件式を満足するよう構成されている。
（５）  ２．００＜ＬＴ／（Ｙｍａｘ）＜３．１０
ＬＴ：無限遠合焦状態における前記第１レンズ群Ｇ１の最も物体側の面から像面までの面間隔
Ｙｍａｘ：最大像高
Ｙｍａｘの定義がなされていなく有効な半画角ｗが判別できるものは便宜上、Ｙｍａｘ＝（ｆ＊ｔａｎ（ｗ））とする。
【００５４】
条件式（５）は、レンズ全系の小型化と収差補正のバランスの好ましい条件として、レンズ全系の長さと最大像高の関係を規定するものである。
【００５５】
条件式（５）の上限を超える場合はイメージサークルの１．５倍を超え、イメージサークルに対して小型化しているとは言えず、本発明の目的を達成することができない。条件式（５）の下限を超える場合はレンズ全系が小さくなり、各群の屈折力が大きくなることによる収差発生量が大きくなるため良好な収差補正が困難となる。
【００５６】
なお条件式（５）について、望ましくはその下限値を２．４５に、また上限値を３．０５に規定することで、前述の効果をより確実にすることができる。
【００５７】
また本発明は以下の条件式を満足するよう構成されている。
（６）  ２．００＜Ｋ２＜５．００
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ：無限遠合焦状態における全系の焦点距離
ｆ１２：無限遠合焦状態における前記第１レンズ群Ｇ１と前記第２レンズ群Ｇ２の合成焦点距離
【００５８】
条件式（６）は、レンズ全系の小型化と収差補正のバランスの好ましい条件として、第２レンズ群のフォーカス敏感度を規定するものである。
【００５９】
条件式（６）の上限を超え各群の屈折力が大きくなると収差発生量が大きくなるため良好な収差補正が困難となる。またフォーカス敏感度が高くなることで合焦時に必要な駆動精度を満たすことが難しくなる。条件式（６）の下限を超え第２レンズ群Ｇ２の移動量が大きくなるとレンズ全系の小型化が難しくなる。
【００６０】
なお条件式（６）について、望ましくはその下限値を２．３０に、また上限値を４．８０に規定することで、前述の効果をより確実にすることができる。
【００６１】
また本発明は以下の条件式を満足するよう構成されている。
（７）  ０．３０＜ｆ２／ｆ＜０．９５
ｆ２：前記第２レンズ群Ｇ２の焦点距離 
ｆ：無限遠合焦状態における全系の焦点距離
【００６２】
条件式（７）は、レンズ全系の小型化と短い撮影距離での撮影を可能にすることと収差補正の好ましい条件として、第２レンズ群Ｇ２と全系の焦点距離の比を規定するものである。
【００６３】
条件式（７）の上限を超え第２レンズ群Ｇ２の屈折力が小さくなるとフォーカス敏感度が小さくなり、レンズ全系の小型化と短い撮影距離での撮影を行う事の両立が難しくなる。条件式（７）の下限を超え第２レンズ群Ｇ２の屈折力が大きくなるとフォーカス時の収差変動が大きくなり、第２レンズ群Ｇ２との収差補正のバランスが崩れるため好ましくない。
【００６４】
なお条件式（７）について、望ましくはその下限値を０．３５に、また上限値を０．７０に規定することで、前述の効果をより確実にすることができる。
【００６５】
また本発明は以下の条件式を満足するよう構成されている。
（８）  ０．３０＜｜ｆ３／ｆ｜＜１．４０
ｆ３：前記第３レンズ群Ｇ３の焦点距離
ｆ：無限遠合焦状態における全系の焦点距離
【００６６】
条件式（８）は、イメージサークルを大きくすることとレンズ全系の小型化と収差補正の好ましい条件として、第３レンズ群Ｇ３と全系の焦点距離の比を規定するものである。
【００６７】
条件式（８）の上限を超え第３レンズ群Ｇ３の屈折力が小さくなると横倍率が小さくなり、そのためイメージサークルを大きくすることとレンズ全系の小型化の両立が難しくなる。条件式（８）の下限を超える場合は第１レンズ群Ｇ１と第２レンズ群Ｇ２で発生する収差を著しく拡大させ収差補正のバランスが崩れるため好ましくない。
【００６８】
なお条件式（８）について、望ましくはその下限値を０．４５に、また上限値を１．３０に規定することで、前述の効果をより確実にすることができる。
【００６９】
また本発明は以下の条件式を満足するよう構成されている。
（９）  ０．５０＜（（Ｄ１＿２）＊Ｋ２）／ｆ＜１．４０
Ｄ１＿２：無限合焦状態における前記第１レンズ群Ｇ１の最も像側の面と前記第２レンズ群Ｇ２の最も物体側の面の面間隔
Ｋ２：無限遠合焦状態における前記第２レンズ群Ｇ２のフォーカス敏感度
Ｋ２＝｜Δｄｅｆ／Δｘ｜
＝｜（β３＾２）＊（１−β２＾２）｜
＝｜（（ｆ／ｆ１２）＾２）＊（１−（ｆ１２／ｆ１）＾２）｜
Δｄｅｆ：無限遠合焦状態における微小像面移動量
Δｘ：無限遠合焦状態における微小フォーカスレンズ移動量
β３：無限遠合焦状態における前記第３レンズ群Ｇ２の横倍率
β２：無限遠合焦状態における前記第２レンズ群Ｇ２の横倍率
ｆ：無限遠合焦状態における全系の焦点距離
ｆ１：前記第１レンズ群Ｇ１の焦点距離
ｆ１２：無限遠合焦状態における前記第１レンズ群Ｇ１と前記第２レンズ群Ｇ２の合成焦点距離
【００７０】
条件式（９）は、レンズ全系の小型化と、短い撮影距離での撮影を可能にすること、収差補正のバランスの好ましい条件として、第１レンズＧ１と第２レンズ群Ｇ２の間隔とフォーカス敏感度の関係を規定するものである。
【００７１】
条件式（９）の上限を超え第１レンズＧ１と第２レンズ群Ｇ２の間隔が大きくなるとレンズ全系の小型化が難しくなる。条件式（９）の下限を超え第１レンズＧ１と第２レンズ群Ｇ２の間隔が小さくなると短い撮影距離での合焦状態において第１レンズ群Ｇ１や開口絞りＳに干渉する。よって、短い撮影距離での撮影ができなくなるため好ましくない。
【００７２】
なお条件式（９）について、望ましくはその下限値を０．６０に、また上限値を１．２５に規定することで、前述の効果をより確実にすることができる。
【００７３】
また本発明は無限遠物体から近距離物体への合焦の際に、前記第１レンズ群Ｇ１は像面に対して固定であり、前記第３レンズ群Ｇ３は像面に対して固定である構成となっている。
【００７４】
外観の構造に関連する第１レンズ群Ｇ１を像面に対して固定とすることで、フォーカス時に動くレンズ群を軽量化することができる。そのためフォーカス用のアクチュエータが小型となり製品の大きさを小型化することができる。
【００７５】
全系の中でも最もレンズ系の大きいレンズ群である第３レンズ群Ｇ３を像面に対し固定することで、フォーカス時のレンズの移動量を小さくでき、フォーカス群を軽量化することができる。そのため全系の小型化、短い撮影距離での撮影を可能にすることができる。
【００７６】
横倍率の大きい第３レンズ群Ｇ３をフォーカス時に固定とすることで、フォーカス敏感度を大きくすることができる。その為、近距離物体に合焦するためのフォーカス群の移動量が小さくなり短い撮影距離での撮影が可能となる。
【００７７】
また本発明は無限遠物体から近距離物体への合焦の際に、第１レンズ群Ｇ１は像面に対して固定であり、第３レンズ群Ｇ３は像面に対して固定である構成をとる。
【００７８】
効果については前述のとおりであり、この構成をとることでフォーカス時のレンズの移動量の小さいフォーカス方式をとることが効率的に可能となり、レンズ全系の小型化と、短い撮影距離での撮影を可能にすることができる。
【００７９】
また本発明は開口絞りＳは第１レンズ群Ｇ１の像側に隣接し合焦の際に光軸方向に固定とする
【００８０】
開口絞りＳは第１レンズ群Ｇ１の像側に隣接し合焦の際に光軸方向に固定とすることで、フォーカス時に動く機構の軽量化ができる。そのためフォーカス用のアクチュエータが小型となり製品の大きさを小型化することができる。また光量調整等に利用する絞り機構とするには第１レンズ群Ｇ１の像側に配置することがレンズ全系の小型化のためには望ましい。
【００８１】
また本発明は以下の条件式を満足するよう構成されている。
（１０）  １．６０＜｜ＥＸＰ／Ｙｍａｘ｜＜３．５０
ＥＸＰ  ：無限遠合焦状態における射出瞳位置から像面までの距離
Ｙｍａｘ：最大像高
Ｙｍａｘの定義がなされていなく有効な半画角ｗが判別できるものは便宜上、
Ｙｍａｘ＝（ｆ＊ｔａｎ（ｗ））とする。
【００８２】
条件式（１０）はイメージサークル周縁に至る光線射出角の好ましい条件として、射出瞳位置と最大像高の比を規定するものである。
【００８３】
条件式（１０）の上限を超え、前記ＥＸＰが大きくなるとレンズ全系の長さや像側に配置されるレンズの径が大型化されるため、レンズ全系の小型化が難しくなる。条件式（１０）の下限を超え、前記ＥＸＰが小さくなると光線射出角が像面に対して急な角度で至る。デジタルスチルカメラ等に使用される撮像素子を利用した場合にイメージサークル周縁での感度低下を招き周辺光量が著しく低下するため好ましくない。
【００８４】
なお条件式（１０）について、望ましくはその下限値を１．８０に、また上限値を２．８０に限定することで、前述の効果をより確実にすることができる。
【００８５】
また本発明は、第１レンズ群Ｇ１は物体側より順に正レンズＬ１、負レンズＬ２からなり、全体で正の屈折力を有する構成をとる
【００８６】
第１レンズ群Ｇ１の構成を物体側より順に正レンズＬ１、負レンズＬ２とし全体で正の屈折力を有することにより、正レンズＬ１で光束を小さくすることができレンズ全系の小型化に寄与する。その後の負レンズＬ２により軸上のマージナル光線の光軸に対する光線角度を緩くすることで第２レンズ群Ｇ２との収差補正のバランスをとることができる。この時収差補正に利用する面を増やすため正レンズＬ１と負レンズＬ２は接合しないことが望ましく、製造誤差感度の低減のために正レンズＬ１は物体側に凸面を向けた凸メニスカスレンズ、負レンズＬ２は物体側に凸面を向けた凹メニスカスレンズであることが望ましい。また光量調整等に利用する絞り機構は第１レンズ群Ｇ１の像側に配置することがレンズ全系の小型化のためには望ましい。
【００８７】
第１レンズ群Ｇ１に非球面を用いることがより望ましい。これにより球面収差とコマ収差の補正を適切に行う事できる。正レンズＬ１に両面非球面を用いるのが収差補正に最も有効である。
【００８８】
また本発明は、第２レンズ群Ｇ２は物体側より順に負レンズＬ３、正レンズＬ４、正レンズＬ５からなり、全体で正の屈折力を有する構成をとる
【００８９】
第２レンズ群Ｇ２の構成を物体側より順に負レンズＬ３、正レンズＬ４、正レンズＬ５とし全体で正の屈折力を有することにより、フォーカス敏感度を大きくすること、フォーカスレンズとしての軽量化と、製造誤差感度の低減ができる。第１レンズ群Ｇ１との収差バランスのために第２レンズ群には負レンズ１枚が必要になるが、周縁部でレンズ厚が厚くなる負レンズＬ３は光束径の小さい位置に配置することになる。また射出瞳位置を物体側に寄せるため、負レンズＬ３はより物体側に配置することが望ましい。この負レンズＬ３の色収差の補正のため正レンズＬ４を隣接させることが望ましく、さらにこの隣接する正レンズＬ４との間の製造誤差感度の低減のため負レンズＬ３と正レンズＬ４は接合することが望ましい。さらに像面側に正レンズＬ５を配置することで第１レンズ群Ｇ１と対称系の光学系となり収差補正のバランスがとれる。この時、前記接合レンズ、つまりは負レンズＬ３と正レンズＬ４からなる接合レンズは、像面側に隣接する正レンズＬ５との間の製造誤差感度の低減のため物体側に凹面を向けたメニスカス形状となることが望ましい。
【００９０】
以上のことから、第２レンズ群Ｇ２の構成から収差補正と製造誤差感度の低減の効果を有することによりフォーカス敏感度を大きくする事の両立が可能となる。
【００９１】
正レンズＬ５は軸外光線が光軸から離れた位置を通るためレンズ径が大きくなりやすい。そのため低比重の材質を用いることが望ましい。
【００９２】
また、第２レンズ群Ｇ２に非球面を用いることがより望ましい。これによりフォーカシング時の球面収差と非点収差の補正を適切に行う事できる。正レンズＬ５に両面非球面を用いるのが収差補正に最も有効である。
【００９３】
また本発明は、第３レンズ群Ｇ３は物体側より順に負レンズＬ６、負レンズＬ７、正レンズＬ８からなり、全体で負の屈折力を有する構成をとる
【００９４】
第３レンズ群Ｇ３の構成を物体側より順に負レンズＬ６、負レンズＬ７、正レンズＬ８とし全体で負の屈折力を有することにより、イメージサークルを大きくすることとレンズ全系の小型化の両立ができる。負レンズＬ６はレンズ径を正レンズＬ５と同等とすることで軸外光束の上側のマージナル光線が光軸に対して略平行になり第２レンズ群Ｇ２との製造誤差感度を下げることとフォーカス時の収差変動の低減の両立ができる。またイメージサークルの拡張のための強い負の屈折力とフォーカス時の収差変動の低減のために物体側に凸面を向けた凹メニスカスレンズであることが望ましい。負レンズＬ７は非点収差の補正に利用し、軸上光線高の低くなる像面に近い位置に配置し、物体側に凹面を向ける凹メニスカスレンズであることが望ましい。正レンズＬ８は高屈折率、高分散、異常部分分散性の高い媒質を用いることが望ましい。軸外の倍率色収差補正と非点収差の補正と歪曲収差の補正に利用するため像面に近いほうが望ましい。
【００９５】
次に、本発明の結像光学系に係る実施例のレンズ構成について説明する。
なお、以下の説明ではレンズ構成を物体側から像側の順番で記載する。
【００９６】
［面データ］において、面番号は物体側から数えたレンズ面または開口絞りの番号、ｒは各レンズ面の曲率半径、ｄは各レンズ面の間隔、ｎｄはｄ線（波長５８７．５６ｎｍ）に対する屈折率、ｖｄはｄ線に対するアッベ数、ＰｇＦはｇ線とＦ線間の部分分散比、有効径はレンズ有効径を示している。
【００９７】
面番号に付した＊（アスタリスク）は、そのレンズ面形状が非球面であることを示している。また、ＢＦはバックフォーカスを表している。
【００９８】
面番号に付した（絞り）は、その位置に開口絞りが位置していることを示している。平面または開口絞りに対する曲率半径には∞（無限大）を記入している。
【００９９】
［非球面データ］には、［面データ］において＊を付したレンズ面の非球面形状を与える各係数の値を示している。非球面の形状は、下記の式で表される。以下の式において、光軸に直交する方向への光軸からの変位をｙ、非球面と光軸の交点から光軸方向への変位（サグ量）をｚ、基準球面の曲率半径をｒ、コーニック係数をＫで表している。また、４、６、８、１０、１２、１４、１６、１８、２０次の非球面係数をそれぞれＡ４、Ａ６、Ａ８、Ａ１０、Ａ１２、Ａ１４、Ａ１６、Ａ１８、Ａ２０で表している。
2019211703.tif 000003
【０１００】
［各種データ］には、無限遠合焦時における焦点距離等の値を示している。
【０１０１】
［可変間隔データ］には、各撮影距離状態における可変間隔及びＢＦの値を示している。
【０１０２】
［レンズ群データ］には、各レンズ群を構成する最も物体側のレンズ面番号及びレンズ群全体の合成焦点距離を示している。
【０１０３】
尚、以下の全ての諸元の値において、記載している焦点距離ｆ、曲率半径ｒ、レンズ面間隔ｄ、その他の長さの単位は特記のない限りミリメートル（ｍｍ）を使用するが、光学系では比例拡大と比例縮小とにおいても同様の光学性能が得られるので、これに限られるものではない。
【実施例１】
【０１０４】
図１は、本発明の実施例１に係る結像光学系の無限遠合焦時のレンズ構成図である。
【０１０５】
物体側から順に、正の屈折力を有する第１レンズ群Ｇ１は、両面非球面である物体側に凸面を向けた正メニスカスレンズＬ１、物体側に凸面を向けた負メニスカスレンズＬ２からなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１０６】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１０７】
続いて、以下に実施例１に係る結像光学系の諸元値を示す。
数値実施例1
単位：mm
[面データ]
面番号         r         d        nd      vd       PgF    有効径
物面           ∞      (d0)
1*       23.3681    3.7585   1.77250   49.50   0.5519   20.01
2*      144.1153    0.3080                              18.30
3        45.1236    0.8000   1.51742   52.15   0.5589   16.74
4        16.3472    4.6499                              14.58
5(絞り)          ∞      (d5)                              12.90
6       -12.2130    0.8000   1.69895   30.05   0.6028   12.85
7        55.6607    4.2213   1.87070   40.73   0.5682   14.54
8       -18.8353    0.1500                              15.60
9*       37.4761    4.7493   1.58913   61.25   0.5373   17.90
10*      -23.9712     (d10)                              18.50
11      109.6497    0.9857   1.67300   38.26   0.5757   18.97
12       21.1832    8.7012                              19.20
13      -19.7354    0.8000   1.75211   25.05   0.6191   21.87
14      -29.9543    0.1500                              23.66
15       95.8651    2.5968   1.98612   16.48   0.6656   28.20
16     -580.7065   16.3216                              28.72
17            ∞    2.5000   1.51633   64.14   0.5353
18            ∞      (BF)
像面           ∞
[非球面データ]
1面           2面
K             0.7548        0.0000
A4       -1.0943E-05    -2.3116E-06
A6       -9.0526E-08     1.4773E-07
A8        3.3856E-09    -4.0502E-09
A10       -6.8374E-11     7.7863E-11
A12        7.5676E-13    -9.6225E-13
A14       -4.8496E-15     6.3690E-15
A16        1.5425E-17    -2.0898E-17
A18       -1.8709E-20     2.6920E-20
A20        0.0000E+00     0.0000E+00
9面            10面
K            -2.3178        -2.6500
A4       -2.4796E-06    -4.7357E-06
A6       -9.6746E-09     1.5970E-08
A8       -5.6804E-10     3.7484E-10
A10        3.7440E-11    -1.2512E-11
A12       -7.5858E-13     2.6612E-13
A14        7.5576E-15    -3.0274E-15
A16       -3.5787E-17     1.8357E-17
A18        6.4474E-20    -4.2619E-20
A20        0.0000E+00     0.0000E+00
[各種データ]
INF         240
焦点距離         43.93       36.81
Fナンバー          2.90        3.02
全画角2ω         51.10       49.90
像高Y           21.63       21.63
レンズ全長        63.57       63.57
[可変間隔データ]
INF         240
d0               ∞    172.6297
d5           8.3114      4.8314
d10           1.7666      5.2466
BF           2.0000      2.0000
[レンズ群データ]
群          始面      焦点距離
G1           1            98.79
G2           6            22.68
G3           11          -39.36
G12           1            24.39
G23           6            54.90
【実施例２】
【０１０８】
図６は、本発明の実施例２に係る結像光学系の無限遠合焦時のレンズ構成図である。
物体側から順に、正の屈折力を有する第１レンズ群Ｇ１は、物体側に凸面を向けた正メニスカスレンズＬ１、物体側の面が非球面であり物体側に凸面を向けた負メニスカス形状の樹脂等を材質としたレンズと物体側に凸面を向けた負メニスカスレンズからなる接合レンズＬ２からなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１０９】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１１０】
続いて、以下に実施例２に係る結像光学系の諸元値を示す。
数値実施例2
単位：mm
[面データ]
面番号        r         d          nd      vd     PgF   有効径
物面           ∞      (d0)
1        25.0272    3.6286    1.77250   49.62  0.5503  19.60
2       148.6155    0.1500                             17.88
3*       44.5784    0.1188    1.51840   52.10  0.5538  16.79
4        35.9682    0.8000    1.51742   52.15  0.5589  16.45
5        18.3624    3.6611                             14.90
6(絞り)          ∞      (d6)                             13.28
7       -11.8564    0.8000    1.69895   30.05  0.6028  13.05
8        74.0878    4.2582    1.87070   40.73  0.5682  14.70
9       -17.7220    0.1500                             15.70
10*       43.7832    4.3575    1.58913   61.25  0.5373  18.00
11*      -26.0653     (d11)                             18.57
12       100.0000    0.8000    1.64769   33.84  0.5923  19.27
13        22.6971    9.6164                             19.38
14       -20.0973    0.8000    1.67270   32.17  0.5962  22.62
15       -33.0792    0.1500                             24.58
16       120.8436    2.5285    1.98612   16.48  0.6656  28.58
17      -317.4586   16.1672                             29.10
18             ∞    2.5000    1.51633   64.14  0.5353
19             ∞      (BF)
像面            ∞
[非球面データ]
3面           10面          11面
K          -0.5947       -4.1801       -2.6057
A4     -3.1404E-06    3.2870E-07   -3.7190E-06
A6     -1.9502E-07   -1.7897E-08    1.2815E-08
A8      8.0064E-09   -4.0774E-09   -1.3261E-09
A10     -1.4668E-10    1.6733E-10    1.5502E-11
A12      1.2804E-12   -3.0256E-12    2.6614E-13
A14     -4.1538E-15    2.8060E-14   -7.3721E-15
A16      0.0000E+00   -1.3039E-16    5.6089E-17
A18      0.0000E+00    2.4152E-19   -1.3703E-19
A20      0.0000E+00    0.0000E+00    0.0000E+00
[各種データ]
INF         240
焦点距離         44.27       37.14
Fナンバー          2.90        3.00
全画角2ω         50.75       49.99
像高Y           21.63       21.63
レンズ全長        63.57       63.57
[可変間隔データ]
INF          240
d0               ∞    174.9301
d6           9.4838      5.6659
d11           1.6000      5.4179
BF           2.0000      2.0000
[レンズ群データ]
群          始面         焦点距離
G1           1            89.60
G2           7            24.41
G3           12          -43.26
G12           1            25.50
G23           7            58.75
【実施例３】
【０１１１】
図１１は、本発明の実施例３に係る結像光学系の無限遠合焦時のレンズ構成図である。
物体側から順に、正の屈折力を有する第１レンズ群Ｇ１は、両面非球面である物体側に凸面を向けた正メニスカスレンズＬ１と、物体側に凸面を向けた負メニスカスレンズＬ２とからなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、物体側に凹面を向けた正メニスカスレンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１１２】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１１３】
続いて、以下に実施例３に係る結像光学系の諸元値を示す。
数値実施例3
単位：mm
[面データ]
面番号        r        d         nd       vd     PgF   有効径
物面          ∞     (d0)
1*      40.0578   1.9199    1.72903    54.04  0.5446  17.97
2*    1035.9646   0.1500                              17.19
3       35.3446   0.8000    1.51823    58.96  0.5441  15.51
4       21.8772   3.9211                              14.20
5(絞り)         ∞     (d5)                              11.81
6      -11.9037   0.8000    1.69895    30.05  0.6028  12.14
7       33.6044   4.8000    1.87070    40.73  0.5682  14.18
8      -18.2410   0.1500                              15.40
9*      38.2460   4.6535    1.58913    61.25  0.5373  17.60
10*     -23.7324    (d10)                              18.30
11      36.1340   0.8000    1.51742    52.15  0.5589  19.30
12      17.4730   6.9149                              19.08
13     -18.7936   0.8000    1.64769    33.84  0.5923  19.93
14     -52.5631   0.1500                              22.15
15    -160.7300   1.9252    1.92286    20.88  0.6388  23.30
16     -65.0696  15.3702                              24.11
17           ∞   2.5000    1.51633    64.14  0.5353
18           ∞     (BF)
像面          ∞
[非球面データ]
1面           2面
K             2.2440        0.0000
A4       -4.7931E-06    3.5362E-06
A6       -1.1561E-06   -1.2927E-06
A8        3.9457E-08    5.9642E-08
A10       -5.1536E-10   -1.1713E-09
A12       -3.6010E-14    8.3976E-12
A14        7.2185E-14    4.6761E-14
A16       -7.2860E-16   -1.0681E-15
A18        2.3716E-18    4.6152E-18
A20        0.0000E+00    0.0000E+00
9面           10面
K            -3.5035       -2.7645
A4       -5.9110E-06   -6.8076E-06
A6       -2.5290E-09    1.9360E-08
A8        3.4621E-10    3.2163E-10
A10        4.9236E-13    1.3592E-12
A12        0.0000E+00    1.9007E-15
A14        0.0000E+00    0.0000E+00
A16        0.0000E+00    0.0000E+00
A18        0.0000E+00    0.0000E+00
A20        0.0000E+00    0.0000E+00
[各種データ]
INF         200
焦点距離         37.01       31.09
Fナンバー          2.90        3.02
全画角2ω         59.14       58.03
像高Y           21.63       21.63
レンズ全長        57.27       57.27
[可変間隔データ]
INF         200
d0               ∞    142.7325
d5           8.0119      4.7646
d10           1.6000      4.8473
BF           2.0000      2.0000
[レンズ群データ]
群          始面        焦点距離
G1           1           110.04
G2           6            21.04
G3           11          -34.64
G12           1            21.48
G23           6            45.56
【実施例４】
【０１１４】
図１６は、本発明の実施例４に係る結像光学系の無限遠合焦時のレンズ構成図である。
物体側から順に、正の屈折力を有する第１レンズ群Ｇ１は、両面非球面である物体側に凸面を向けた正メニスカスレンズＬ１と、物体側に凸面を向けた負メニスカスレンズＬ２とからなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、物体側に凹面を向けた正メニスカスレンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１１５】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１１６】
続いて、以下に実施例４に係る結像光学系の諸元値を示す。
数値実施例4
単位：mm
[面データ]
面番号     r         d       nd        vd     PgF   有効径
物面        ∞     (d0)
1*    27.9565   2.1228  1.85135    40.10   0.5694  20.03
2*    68.1371   0.1500                             19.12
3     19.1686   0.8000  1.55298    55.07   0.5447  16.74
4     13.0798   5.4212                             15.00
5(絞り)       ∞     (d5)                             12.38
6    -12.8045   0.8000  1.69895    30.05   0.6028  12.61
7     26.7275   4.8000  1.87070    40.73   0.5682  14.71
8    -20.8226   0.1500                             15.80
9*    42.5418   4.5045  1.58913    61.25   0.5373  17.90
10    -24.4535    (d10)                             18.54
11     34.5567   1.4070  1.67300    38.26   0.5757  19.43
12     18.8436  10.2837                             19.10
13    -17.0132   0.8000  1.75211    25.05   0.6191  21.82
14    -32.5270   0.1500                             24.42
15   -626.8220   2.9061  1.98612    16.48   0.6656  27.60
16    -60.7974  14.8183                             28.43
17          ∞   2.5000  1.51633    64.14   0.5353
18          ∞     (BF)
像面         ∞
[非球面データ]
1面           2面
K               1.4127        0.0000
A4         -1.6186E-05   -1.0510E-05
A6         -9.2237E-08    1.9241E-08
A8          1.9145E-09    2.9174E-09
A10          2.2312E-11   -2.4662E-11
A12         -6.4984E-13   -2.1752E-13
A14          3.6410E-15    2.6677E-15
A16          0.0000E+00    0.0000E+00
A18          0.0000E+00    0.0000E+00
A20          0.0000E+00    0.0000E+00
9面           10面
K              -4.3611       -2.2863
A4         -4.9661E-06   -7.4309E-06
A6          5.1598E-09    2.2351E-08
A8         -3.8894E-10   -1.5640E-10
A10          4.9734E-12    2.4462E-12
A12          0.0000E+00    1.5323E-14
A14          0.0000E+00    0.0000E+00
A16          0.0000E+00    0.0000E+00
A18          0.0000E+00    0.0000E+00
A20          0.0000E+00    0.0000E+00
[各種データ]
INF           220
焦点距離           40.00         34.53
Fナンバー            2.90          3.08
全画角2ω           55.84         53.58
像高Y             21.63         21.63
レンズ全長          63.57         63.57
[可変間隔データ]
INF           220
d0                 ∞      156.4295
d5             8.3569        4.4610
d10             1.6000        5.4959
BF             2.0000        2.0000
[レンズ群データ]
群           始面           焦点距離
G1            1              154.41
G2            6               23.51
G3            11             -48.02
G12            1               24.61
G23            6               43.75
【実施例５】
【０１１７】
図２１は、本発明の実施例５に係る結像光学系の無限遠合焦時のレンズ構成図である。
物体側から順に、正の屈折力を有する第１レンズ群Ｇ１は、両面非球面である物体側に凸面を向けた正メニスカスレンズＬ１と、物体側に凸面を向けた負メニスカスレンズＬ２とからなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１１８】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１１９】
続いて、以下に実施例５に係る結像光学系の諸元値を示す。
数値実施例5
単位：mm
[面データ]
面番号     r          d        nd      vd      PgF  有効径
物面        ∞      (d0)
1*    21.0823    3.4782   1.76802   49.24  0.5515  21.16
2*    99.2280    0.1608                            20.07
3     47.5622    0.8000   1.51742   52.15  0.5589  18.94
4     19.4504    4.4894                            16.80
5(絞り)       ∞      (d5)                            14.80
6    -15.0441    0.8000   1.69895   30.05  0.6028  14.30
7     21.1179    4.7971   1.87070   40.73  0.5682  15.72
8    -26.2651    0.1870                            16.20
9*    45.2265    4.2577   1.58913   61.25  0.5373  17.80
10*   -27.0031     (d10)                            18.39
11   1450.3022    1.3351   1.67300   38.26  0.5757  19.13
12     25.6487    8.1008                            19.40
13    -17.7190    0.8004   1.75211   25.05  0.6191  21.66
14    -51.2250    0.1502                            25.06
15   1000.0000    4.3333   1.98612   16.48  0.6656  28.40
16    -42.8968   14.0137                            29.54
17          ∞    2.5000   1.51633   64.14  0.5353
18          ∞      (BF)
像面         ∞
[非球面データ]
1面          2面
K             0.6876       12.9030
A4       -1.3213E-05   -9.8307E-07
A6        3.2013E-07    1.2898E-07
A8       -1.8639E-08   -8.8793E-09
A10        5.2041E-10    3.1773E-10
A12       -8.2976E-12   -6.4386E-12
A14        7.5237E-14    7.2797E-14
A16       -3.6261E-16   -4.3185E-16
A18        7.1284E-19    1.0386E-18
A20        0.0000E+00    0.0000E+00
9面          10面
K            -2.4143       -4.0616
A4       -5.0885E-06   -6.7662E-06
A6       -1.4701E-08    3.9183E-08
A8       -1.9852E-09    2.3073E-08
A10        9.1678E-11   -1.2237E-09
A12       -1.1699E-12    2.9740E-11
A14        2.3893E-15   -3.7929E-13
A16        5.7896E-17    2.4731E-15
A18       -3.1362E-19   -6.4997E-18
A20        0.0000E+00    0.0000E+00
[各種データ]
INF           210
焦点距離         50.72         34.65
Fナンバー          2.90          2.98
全画角2ω         44.98         44.39
像高Y           21.63         21.63
レンズ全長        64.52         64.52
[可変間隔データ]
INF            210
d0               ∞      144.4762
d5          10.6925        5.0552
d10           1.6281        7.2654
BF           2.0000        2.0000
[レンズ群データ]
群          始面          焦点距離
G1           1              65.48
G2           6              26.88
G3           11            -38.63
G12           1              27.64
G23           6             107.03
【実施例６】
【０１２０】
図２６は、本発明の実施例６に係る結像光学系の無限遠合焦時のレンズ構成図である。
物体側から順に、正の屈折力を有する第１レンズ群Ｇ１は、両面非球面である物体側に凸面を向けた正メニスカスレンズＬ１と、物体側に凸面を向けた負メニスカスレンズＬ２とからなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８からなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１２１】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１２２】
続いて、以下に実施例６に係る結像光学系の諸元値を示す。
数値実施例6
単位：mm
[面データ]
面番号     r        d        nd        vd     PgF  有効径
物面        ∞     (d0)
1*    21.0987   3.3398   1.77250   49.50  0.5519  19.88
2*    54.6445   0.7934                            18.16
3     29.1842   0.8000   1.48749   70.44  0.5306  16.60
4     17.2858   3.6525                            15.68
5(絞り)       ∞     (d5)                            15.00
6    -13.4041   0.8000   1.69895   30.05  0.6028  14.41
7     30.1667   4.7697   1.87070   40.73  0.5682  16.18
8    -20.0313   0.1500                            16.80
9*    26.9679   4.4763   1.58913   61.25  0.5373  17.80
10*   -37.7416    (d10)                            18.16
11    138.9423   0.8000   1.95375   32.32  0.5901  18.22
12     22.4583  10.0862                            18.00
13    -16.4066   0.8000   1.70154   41.15  0.5769  21.66
14    -29.7489   0.1500                            24.39
15    178.9531   3.4842   1.98612   16.48  0.6656  29.30
16    -81.0895  15.1006                            30.05
17          ∞   2.5000   1.51633   64.14  0.5353
18          ∞     (BF)
像面         ∞
[非球面データ]
1面           2面
K             2.1022       10.6169
A4       -1.5287E-05    7.0189E-06
A6       -2.1976E-07    1.8322E-07
A8       -4.4936E-10   -1.5319E-08
A10        2.1212E-10    7.5207E-10
A12       -6.3286E-12   -1.7441E-11
A14        8.8011E-14    2.2713E-13
A16       -6.0800E-16   -1.5745E-15
A18        1.7022E-18    4.6288E-18
A20        0.0000E+00    0.0000E+00
9面           10面
K            -2.1665       -4.9007
A4        5.0447E-06    4.5712E-06
A6       -1.3519E-08    1.2052E-08
A8        2.6215E-09    3.3008E-09
A10       -7.1467E-11   -8.7446E-11
A12        7.7627E-13    9.2023E-13
A14       -3.2966E-15   -3.7697E-15
A16        0.0000E+00    0.0000E+00
A18        0.0000E+00    0.0000E+00
A20        0.0000E+00    0.0000E+00
[各種データ]
INF         260
焦点距離         51.30       40.89
Fナンバー          2.90        2.94
全画角2ω         44.52       44.28
像高Y           21.63       21.63
レンズ全長        64.57       64.57
[可変間隔データ]
INF         260
d0               ∞    195.4280
d5           9.2671      6.2340
d10           1.6000      4.6331
BF           2.0000      2.0000
[レンズ群データ]
群          始面        焦点距離
G1           1            73.81
G2           6            22.28
G3           11          -29.05
G12           1            23.90
G23           6           102.38
【実施例７】
【０１２３】
図３１は、本発明の実施例７に係る結像光学系の無限遠合焦時のレンズ構成図である。
物体側から順に、正の屈折力を有する第１レンズ群Ｇ１は、両面非球面である物体側に凸面を向けた正メニスカスレンズＬ１と、物体側に凸面を向けた負メニスカスレンズＬ２とからなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなりと、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１２４】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１２５】
続いて、以下に実施例７に係る結像光学系の諸元値を示す。
数値実施例7
単位：mm
[面データ]
面番号       r         d       nd      vd     PgF    有効径
物面          ∞     (d0)
1*      20.6620   3.1514  1.85135   40.10  0.5694  19.63
2*      47.5814   0.4460                           17.95
3       23.7152   0.8000  1.67300   38.26  0.5757  16.60
4       15.8076   3.7525                           15.65
5(絞り)         ∞     (d5)                           15.03
6      -13.7424   0.8000  1.69895   30.05  0.6028  14.56
7       33.2777   4.8000  1.87070   40.73  0.5682  16.30
8      -19.2935   0.1895                           17.00
9*      23.9858   4.5111  1.58913   61.25  0.5373  17.50
10*     -45.1305    (d10)                           17.74
11      141.4802   0.8000  1.95375   32.32  0.5901  17.66
12       21.0998  10.5351                           17.50
13      -17.0176   0.8000  1.83400   37.35  0.5789  21.74
14      -28.6516   0.1500                           24.22
15      208.3778   3.5796  1.98612   16.48  0.6656  29.20
16      -72.4839  14.9309                           30.01
17            ∞   2.5000  1.51633   64.14  0.5353
18            ∞     (BF)
像面           ∞
[非球面データ]
1面         2面
K             2.0719     11.2100
A4       -1.8102E-05  2.1864E-06
A6       -2.5741E-07 -6.4336E-08
A8        5.6331E-10 -2.6344E-09
A10        1.5449E-10  3.4042E-10
A12       -4.5910E-12 -8.8147E-12
A14        6.3669E-14  1.1928E-13
A16       -4.4851E-16 -8.4905E-16
A18        1.3183E-18  2.6669E-18
A20        0.0000E+00  0.0000E+00
9面         10面
K            -1.8995     -5.1449
A4        8.2067E-06  8.1730E-06
A6       -1.1855E-08  7.2803E-09
A8        2.6173E-09  2.4921E-09
A10       -7.3732E-11 -7.1060E-11
A12        8.0300E-13  7.6064E-13
A14       -3.4811E-15 -3.2809E-15
A16        0.0000E+00  0.0000E+00
A18        0.0000E+00  0.0000E+00
A20        0.0000E+00  0.0000E+00
[各種データ]
INF        260
焦点距離         51.21       40.91
Fナンバー          2.90        2.95
全画角2ω         44.59       44.29
像高Y           21.63       21.63
レンズ全長        64.39       64.39
[可変間隔データ]
INF        260
d0               ∞    195.6050
d5           9.0455      6.3188
d10           1.6000      4.3267
BF           2.0000      2.0000
[レンズ群データ]
群          始面      焦点距離
G1           1            79.67
G2           6            21.04
G3           11          -27.24
G12           1            22.82
G23           6            93.77
【実施例８】
【０１２６】
図３６は、本発明の実施例８に係る結像光学系の無限遠合焦時のレンズ構成図である。
物体側から順に、正の屈折力を有する第１レンズ群Ｇ１は、両面非球面である物体側に凸面を向けた正メニスカスレンズＬ１と、物体側に凸面を向けた負メニスカスレンズＬ２とからなり、開口絞りＳは第１レンズ群Ｇ１の像側に隣接し、正の屈折力を有する第２レンズ群Ｇ２は、両凹レンズＬ３と両凸レンズＬ４とからなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、第１レンズ群Ｇ１と開口絞りＳと第３レンズ群Ｇ３は像面に対し固定であり、前記第２レンズ群Ｇ２が物体側へ移動する。
【０１２７】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１２８】
続いて、以下に実施例８に係る結像光学系の諸元値を示す。
数値実施例8
単位：mm
[面データ]
面番号      r          d       nd      vd     PgF    有効径
物面        ∞      (d0)
1*    19.2943    4.3849   1.77250   49.50  0.5519  21.91
2*    83.4557    0.4474                            20.13
3     37.3406    0.8000   1.64769   33.84  0.5923  18.60
4     17.8608    3.9704                            17.25
5(絞り)       ∞      (d5)                            16.38
6    -17.4689    0.8000   1.67270   32.17  0.5962  15.46
7     18.5228    4.7563   1.87070   40.73  0.5682  16.88
8    -37.3036    0.1500                            17.20
9*    61.4797    3.6234   1.58913   61.25  0.5373  17.10
10*   -27.3796     (d10)                            17.71
11    108.5223    0.8000   1.88300   40.81  0.5654  18.75
12     28.8108    8.2602                            18.80
13    -17.3629    0.8000   1.83400   37.35  0.5789  21.12
14    -33.0352    0.1500                            23.51
15    159.5584    2.9136   1.98612   16.48  0.6656  27.52
16   -112.0386   15.6000                            28.23
17          ∞    2.5000   1.51633   64.14  0.5353
18          ∞      (BF)
像面         ∞
[非球面データ]
1面           2面
K          1.2865        3.6433
A4    -2.2596E-05    4.5240E-06
A6    -9.5381E-08    4.9414E-08
A8    -9.9329E-10    1.1435E-09
A10     6.9611E-11   -2.6295E-11
A12    -1.8807E-12    1.4369E-13
A14     2.3787E-14    4.2434E-15
A16    -1.4812E-16   -6.1675E-17
A18     3.6682E-19    2.5658E-19
A20     0.0000E+00    0.0000E+00
9面           10面
K        -12.4781       -3.2159
A4    -6.8969E-06   -4.7966E-06
A6    -2.7438E-08    2.8670E-08
A8    -1.6769E-09    2.9749E-09
A10     1.8763E-11   -1.0572E-10
A12     8.9135E-14    1.3762E-12
A14    -1.0850E-15   -5.7279E-15
A16     0.0000E+00    0.0000E+00
A18     0.0000E+00    0.0000E+00
A20     0.0000E+00    0.0000E+00
[各種データ]
INF         290
焦点距離        58.00       44.21
Fナンバー         2.90        2.95
全画角2ω        39.82       39.34
像高Y          21.63       21.63
レンズ全長       64.57       64.57
[可変間隔データ]
INF        290
d0              ∞    225.4298
d5         11.0138      5.9218
d10          1.6000      6.6920
BF          2.0000      2.0000
[レンズ群データ]
群         始面      焦点距離
G1          1            63.49
G2          6            32.00
G3         11           -33.78
G12          1            31.29
G23          6           440.27
【実施例９】
【０１２９】
図４１は、本発明の実施例９に係る結像光学系の無限遠合焦時のレンズ構成図である。
物体側から順に、正の屈折力を有する第１レンズ群Ｇ１は、両面非球面である物体側に凸面を向けた正メニスカスレンズＬ１、物体側に凸面を向けた負メニスカスレンズＬ２からなり、開口絞りＳは第１レンズ群Ｇ１の像側に隣接し、正の屈折力を有する第２レンズ群Ｇ２は、両凹レンズＬ３と両凸レンズＬ４からなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、第３レンズ群Ｇ３は像面に対し固定であり、前記第１レンズ群Ｇ１と開口絞りＳと第２レンズ群Ｇ２が一体で物体側へ移動するとともに第２レンズ群が更に物体側へ移動する。
【０１３０】
第１レンズ群Ｇ１と開口絞りＳと第２レンズ群Ｇ２を一体で移動するための動力はトルクの大きなアクチュエータを使用しても良く、もしくはアクチュエータに依らない機械的な繰り出し機構として近接撮影専用のレンズ系としても良いが、第２レンズ群Ｇ２の駆動に関しては光軸方向に微小駆動が可能となるように小型のアクチュエータを用いることが望ましい。この時第２レンズ群Ｇ２が物体側へ移動することで更に近距離の物体への合焦が可能となる。
【０１３１】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１３２】
続いて、以下に実施例９に係る結像光学系の諸元値を示す。
数値実施例9
単位：mm
[面データ]
面番号     r         d         nd      vd      PgF  有効径
物面        ∞      (d0)
1*    23.3681    3.7585   1.77250   49.50  0.5519  20.01
2*   144.1153    0.3080                            18.30
3     45.1236    0.8000   1.51742   52.15  0.5589  16.74
4     16.3472    4.6499                            14.58
5(絞り)       ∞      (d5)                            12.90
6    -12.2130    0.8000   1.69895   30.05  0.6028  12.85
7     55.6607    4.2213   1.87070   40.73  0.5682  14.54
8    -18.8353    0.1500                            15.60
9*    37.4761    4.7493   1.58913   61.25  0.5373  17.90
10*   -23.9712     (d10)                            18.50
11    109.6497    0.9857   1.67300   38.26  0.5757  18.97
12     21.1832    8.7012                            19.20
13    -19.7354    0.8000   1.75211   25.05  0.6191  21.87
14    -29.9543    0.1500                            23.66
15     95.8651    2.5968   1.98612   16.48  0.6656  28.20
16   -580.7065   16.3216                            28.72
17          ∞    2.5000   1.51633   64.14  0.5353
18          ∞      (BF)
像面         ∞
[非球面データ]
1面           2面
K            0.7548        0.0000
A4      -1.0943E-05   -2.3116E-06
A6      -9.0526E-08    1.4773E-07
A8       3.3856E-09   -4.0502E-09
A10      -6.8374E-11    7.7863E-11
A12       7.5676E-13   -9.6225E-13
A14      -4.8496E-15    6.3690E-15
A16       1.5425E-17   -2.0898E-17
A18      -1.8709E-20    2.6920E-20
A20       0.0000E+00    0.0000E+00
9面           10面
K           -2.3178       -2.6500
A4      -2.4796E-06   -4.7357E-06
A6      -9.6746E-09    1.5970E-08
A8      -5.6804E-10    3.7484E-10
A10       3.7440E-11   -1.2512E-11
A12      -7.5858E-13    2.6612E-13
A14       7.5576E-15   -3.0274E-15
A16      -3.5787E-17    1.8357E-17
A18       6.4474E-20   -4.2619E-20
A20       0.0000E+00    0.0000E+00
[各種データ]
INF      240      150
焦点距離     43.93    37.82    32.28
Fナンバー      2.90     3.07     3.26
全画角2ω     51.10    48.96    46.43
像高Y       21.63    21.63    21.63
レンズ全長    63.57    67.10    67.10
[可変間隔データ]
INF       240       150
d0           ∞   168.8040   85.1913
d5       8.3114     8.3114    4.8314
d10       1.7666     5.2940    8.7740
BF       2.0000     2.0000    2.0000
[レンズ群データ]
群         始面      焦点距離
G1          1          98.79
G2          6          22.68
G3          11        -39.36
G12          1          24.39
G23          6          54.90
【実施例１０】
【０１３３】
図４６は、本発明の実施例１０に係る結像光学系の無限遠合焦時のレンズ構成図である。
物体側から順に、正の屈折力を有する第１レンズ群Ｇ１は、両面非球面である物体側に凸面を向けた正メニスカスレンズＬ１、物体側に凸面を向けた負メニスカスレンズＬ２からなり、開口絞りＳは第１レンズ群Ｇ１の像側に隣接し、正の屈折力を有する第２レンズ群Ｇ２は、両凹レンズＬ３と両凸レンズＬ４とからなる接合レンズと、両面非球面である両凸レンズＬ５とからなり、負の屈折力を有する第３レンズ群Ｇ３は、物体側に凸面を向けた負メニスカスレンズＬ６と、物体側に凹面を向けた負メニスカスレンズＬ７と、両凸レンズＬ８とからなり、無限遠物体から近距離物体への合焦の際に、前記第１レンズ群Ｇ１と前記第２レンズ群Ｇ２との間隔が縮まり、前記第２レンズ群Ｇ２と前記第３レンズ群Ｇ３との間隔が広がり、第１レンズ群Ｇ１と開口絞りＳと第２レンズ群Ｇ２と第３レンズ群Ｇ３が別々に物体側へ移動する。
【０１３４】
第１レンズ群Ｇ１と第２レンズ群Ｇ２との間隔が縮まることで光学全長の増大が抑えられ、第２レンズ群Ｇ２と第３レンズ群Ｇ３の間隔が広がることで非点収差の補正を適切に行うことが可能となり像面湾曲の補正が良好となる。
【０１３５】
各レンズ群を移動するための動力はトルクの大きなアクチュエータを使用しても良いが、第２レンズ群Ｇ２の駆動に関しては光軸方向に微小駆動が可能となるように小型のアクチュエータを用いることが望ましい。
【０１３６】
第３レンズ群Ｇ３と像面の間に平行平面板であるフィルターＦが配置されている。このフィルターＦの光軸上の位置は第３レンズ群Ｇ３と像面の間ではどこであっても収差に影響を与えない。
【０１３７】
続いて、以下に実施例１０に係る結像光学系の諸元値を示す。
数値実施例10
単位：mm
[面データ]
面番号     r         d       nd       vd     PgF   有効径
物面       ∞      (d0)
1*   23.3681    3.7585   1.77250   49.50  0.5519  20.01
2*  144.1153    0.3080                            18.30
3    45.1236    0.8000   1.51742   52.15  0.5589  16.74
4    16.3472    4.6499                            14.58
5(絞り)      ∞      (d5)                            12.90
6   -12.2130    0.8000   1.69895   30.05  0.6028  12.85
7    55.6607    4.2213   1.87070   40.73  0.5682  14.54
8   -18.8353    0.1500                            15.60
9*   37.4761    4.7493   1.58913   61.25  0.5373  17.90
10*  -23.9712     (d10)                            18.50
11   109.6497    0.9857   1.67300   38.26  0.5757  18.97
12    21.1832    8.7012                            19.20
13   -19.7354    0.8000   1.75211   25.05  0.6191  21.87
14   -29.9543    0.1500                            23.66
15    95.8651    2.5968   1.98612   16.48  0.6656  28.20
16  -580.7065     (d16)                            28.72
17         ∞    2.5000   1.51633   64.14  0.5353
18         ∞      (BF)
像面        ∞
[非球面データ]
1面           2面
K            0.7548        0.0000
A4      -1.0943E-05   -2.3116E-06
A6      -9.0526E-08    1.4773E-07
A8       3.3856E-09   -4.0502E-09
A10      -6.8374E-11    7.7863E-11
A12       7.5676E-13   -9.6225E-13
A14      -4.8496E-15    6.3690E-15
A16       1.5425E-17   -2.0898E-17
A18      -1.8709E-20    2.6920E-20
A20       0.0000E+00    0.0000E+00
9面           10面
K           -2.3178       -2.6500
A4      -2.4796E-06   -4.7357E-06
A6      -9.6746E-09    1.5970E-08
A8      -5.6804E-10    3.7484E-10
A10       3.7440E-11   -1.2512E-11
A12      -7.5858E-13    2.6612E-13
A14       7.5576E-15   -3.0274E-15
A16      -3.5787E-17    1.8357E-17
A18       6.4474E-20   -4.2619E-20
A20       0.0000E+00    0.0000E+00
[各種データ]
INF         240
焦点距離        43.93       38.38
Fナンバー         2.90        3.18
全画角2ω        51.10       48.07
像高Y          21.63       21.63
レンズ全長       63.57       66.23
[可変間隔データ]
INF         240
d0              ∞     169.9704
d5          8.3114       4.8314
d10          1.7666       4.2180
d16         16.3216      20.0097
BF          2.0000       2.0000
[レンズ群データ]
群         始面        焦点距離
G1          1            98.79
G2          6            22.68
G3         11           -39.36
G12          1            24.39
G23          6            54.90
【０１３８】
以上に上記の各実施例に対応する条件式対応値を示す。
条件式／実施例                    EX1    EX2    EX3    EX4    EX5
１．４０＜ｆ／ｆ１２＜２．８０                 1.80   1.74   1.72   1.63   1.84
０．０２０＜Ｇ３ΔＰｇＦｍａｘ＜０．３００    0.047  0.047  0.028  0.047  0.047
１．８０＜Ｇ３ｎｄ                   1.99   1.99   1.92   1.99   1.99
０．６０＜ｆ１／ｆ＜６．５０                   2.25   2.02   2.97   3.86   1.29
２．００＜ＬＴ／（Ｙｍａｘ）＜３．１０         2.94   2.94   2.65   2.94   2.98
２．００＜Ｋ２＜５．００                       3.05   2.77   2.85   2.57   2.77
０．３０＜ｆ２／ｆ＜０．９５                   0.52   0.55   0.57   0.59   0.53
０．３０＜｜ｆ３／ｆ｜＜１．４０               0.90   0.98   0.94   1.20   0.76
０．５０＜（（Ｄ１＿２）＊Ｋ２）／ｆ＜１．４０ 0.90   0.82   0.92   0.89   0.83
１．６０＜ＥＸＰ／Ｙｍａｘ＜３．５０           2.43   2.55   2.14   2.49   2.51
条件式／実施例                    EX6    EX7    EX8    EX9   EX10
１．４０＜ｆ／ｆ１２＜２．８０                 2.15   2.24   1.85   1.80   1.80
０．０２０＜Ｇ３ΔＰｇＦｍａｘ＜０．３００    0.047  0.047  0.047  0.047  0.047
１．８０＜Ｇ３ｎｄ               1.99   1.99   1.99   1.99   1.99
０．６０＜ｆ１／ｆ＜６．５０                   1.44   1.56   1.09   2.25   2.25
２．００＜ＬＴ／（Ｙｍａｘ）＜３．１０         2.99   2.98   2.99   2.94   2.94
２．００＜Ｋ２＜５．００                       4.12   4.62   2.60   3.05   3.05
０．３０＜ｆ２／ｆ＜０．９５                   0.43   0.41   0.55   0.52   0.52
０．３０＜｜ｆ３／ｆ｜＜１．４０               0.57   0.53   0.58   0.90   0.90
０．５０＜（（Ｄ１＿２）＊Ｋ２）／ｆ＜１．４０ 1.04   1.16   0.67   0.90   0.90
１．６０＜ＥＸＰ／Ｙｍａｘ＜３．５０           2.40   2.40   2.19   2.43   2.43
【符号の説明】
【０１３９】
Ｇ１    第１レンズ群
Ｇ２    第２レンズ群
Ｇ３    第３レンズ群
Ｉ      像面
Ｆ      フィルタ
Ｓ      開口絞り
【図１】
2019211703.tif 000004
【図２】
2019211703.tif 000005
【図３】
2019211703.tif 000006
【図４】
2019211703.tif 000007
【図５】
2019211703.tif 000008
【図６】
2019211703.tif 000009
【図７】
2019211703.tif 000010
【図８】
2019211703.tif 000011
【図９】
2019211703.tif 000012
【図１０】
2019211703.tif 000013
【図１１】
2019211703.tif 000014
【図１２】
2019211703.tif 000015
【図１３】
2019211703.tif 000016
【図１４】
2019211703.tif 000017
【図１５】
2019211703.tif 000018
【図１６】
2019211703.tif 000019
【図１７】
2019211703.tif 000020
【図１８】
2019211703.tif 000021
【図１９】
2019211703.tif 000022
【図２０】
2019211703.tif 000023
【図２１】
2019211703.tif 000024
【図２２】
2019211703.tif 000025
【図２３】
2019211703.tif 000026
【図２４】
2019211703.tif 000027
【図２５】
2019211703.tif 000028
【図２６】
2019211703.tif 000029
【図２７】
2019211703.tif 000030
【図２８】
2019211703.tif 000031
【図２９】
2019211703.tif 000032
【図３０】
2019211703.tif 000033
【図３１】
2019211703.tif 000034
【図３２】
2019211703.tif 000035
【図３３】
2019211703.tif 000036
【図３４】
2019211703.tif 000037
【図３５】
2019211703.tif 000038
【図３６】
2019211703.tif 000039
【図３７】
2019211703.tif 000040
【図３８】
2019211703.tif 000041
【図３９】
2019211703.tif 000042
【図４０】
2019211703.tif 000043
【図４１】
2019211703.tif 000044
【図４２】
2019211703.tif 000045
【図４３】
2019211703.tif 000046
【図４４】
2019211703.tif 000047
【図４５】
2019211703.tif 000048
【図４６】
2019211703.tif 000049
【図４７】
2019211703.tif 000050
【図４８】
2019211703.tif 000051
【図４９】
2019211703.tif 000052
【図５０】
2019211703.tif 000053
【図５１】
2019211703.tif 000054
【図５２】
2019211703.tif 000055